(57)【要約】【課題】バックライトを有する表示パネルに表示されるモノクロ画像における明画素および暗画素の分布状況が変化する場合に、ユーザーがまぶしく感じたり、表示画像が不鮮明になったりすることを防止すること。【解決手段】バックライト制御装置５において、連続指数算出部５Ｆは、表示パネル６２Ａに表示されているモノクロ画像に含まれる明画素および暗画素の一方である注目画素ごとに画素連続指数を算出し、さらに、全ての前記注目画素についての前記画素連続指数の合計である総画素連続指数Ｐｔ００を算出する。前記画素連続指数は、注目画素Ｐ０に隣接し、かつ、注目画素Ｐ０と濃度レベルが同じ画素の数に応じた指数である。輝度補正部５Ｇは、総画素連続指数Ｐｔ００に応じてバックライト６２Ｂの輝度を補正する。【選択図】図３
2018044968.tif 000002
【特許請求の範囲】
【請求項１】
モノクロ画像を表示する表示パネルを照明するバックライトの輝度を制御するバックライト制御装置であって、
前記表示パネルに表示されている前記モノクロ画像に含まれる明画素および暗画素の一方である注目画素ごとに、前記注目画素に隣接し、かつ、前記注目画素と濃度レベルが同じ画素である隣接同レベル画素の数に応じた画素連続指数を算出し、さらに、全ての前記注目画素についての前記画素連続指数の合計である総画素連続指数を算出する連続指数算出部と、
前記総画素連続指数に応じて前記バックライトの輝度を補正する輝度補正部と、を備えるバックライト制御装置。
【請求項２】
前記表示パネルを照らす光の明るさを検出する照度センサーの検出結果に応じて前記バックライトの輝度を調整する輝度調整部をさらに備え、
前記輝度補正部は、前記輝度調整部により調整された前記バックライトの輝度を補正する、請求項１に記載のバックライト制御装置。
【請求項３】
前記連続指数算出部は、前記隣接同レベル画素が前記表示パネルの走査線に沿うＸ軸方向または前記Ｘ軸方向に直交するＹ軸方向において連続する数に応じて変化する前記画素連続指数を算出する、請求項１または請求項２に記載のバックライト制御装置。
【請求項４】
前記連続指数算出部は、前記注目画素に隣接する８つの画素のうち、前記注目画素に対して前記表示パネルの走査線に沿うＸ軸方向または前記Ｘ軸方向に直交するＹ軸方向において隣接する４つの第１隣接画素と残りの４つの第２隣接画素とについて異なる重み係数を用いて前記画素連続指数を算出する、請求項１から請求項３のいずれか１項に記載のバックライト制御装置。
【請求項５】
シートに画像を形成する印刷処理を実行する画像形成部と、
前記印刷処理に関するモノクロ画像を表示する表示パネルおよび前記表示パネルを照明するバックライトを有する表示ユニットと、
前記バックライトの輝度を制御する請求項１から請求項４のいずれか１項に記載のバックライト制御装置と、を備える画像形成装置。
【発明の詳細な説明】
【技術分野】
【０００１】
本発明は、バックライト制御装置および画像形成装置に関する。
【背景技術】
【０００２】
一般に、プリンター、複写機および複合機などの画像形成装置は、液晶表示ユニットなどの表示ユニットを備える。前記表示ユニットは、画像を表示する表示パネルおよび前記表示パネルを照明するバックライトを有する。前記画像形成装置の前記表示ユニットにおいて、印刷処理に関するモノクロ画像が前記表示パネルに表示される場合が多い。
【０００３】
また、情報処理装置などに接続される前記表示ユニットが、前記表示パネルを照らす光の明るさを検出する照度センサーを備え、前記バックライトの輝度が、前記照度センサーの検出結果に応じて制御されることが知られている。これにより、前記表示ユニットの周囲が暗い場合に前記バックライトの輝度が下げられ、ユーザーが前記バックライトの光をまぶしく感じることが防がれる。
【０００４】
また、前記表示パネルの複数のエリアごとに、前記エリア内に表示される映像における暗画素の比率が高い場合に、前記バックライトにおける前記エリアに対応する部分の輝度の下限値を下げることが知られている（例えば、特許文献１参照）。
【先行技術文献】
【特許文献】
【０００５】
【特許文献１】特開２０１０−７９２３６号公報
【発明の概要】
【発明が解決しようとする課題】
【０００６】
ところで、前記表示ユニットの周囲が暗い場合に、前記表示パネルの表示画像に占める明画素の比率が同じであっても、前記明画素の分布が異なれば、前記ユーザーが感じるまぶしさの度合いが異なる。
【０００７】
例えば、前記表示画像に占める前記明画素の比率が同じであっても、前記ユーザーは、前記明画素が一部のエリアに集中している場合の方が、前記明画素が均一に分布している場合よりもまぶしく感じやすい。一方、前記表示ユニットの周囲が暗い状況下で前記明画素が均一に分布している場合に、前記バックライトの輝度を下げ過ぎると、前記表示パネルの表示画像が不鮮明になる。
【０００８】
本発明の目的は、バックライトを有する表示パネルに表示されるモノクロ画像における明画素および暗画素の分布状況が変化する場合に、ユーザーがまぶしく感じたり、表示画像が不鮮明になったりすることを防止できるバックライト制御装置およびそれを備える画像形成装置を提供することにある。
【課題を解決するための手段】
【０００９】
本発明の一の局面に係るバックライト制御装置は、モノクロ画像を表示する表示パネルを照明するバックライトの輝度を制御する装置である。前記バックライト制御装置は、連続指数算出部と、輝度補正部と、を備える。前記連続指数算出部は、前記表示パネルに表示されている前記モノクロ画像に含まれる明画素および暗画素の一方である注目画素ごとに、前記注目画素に隣接し、かつ、前記注目画素と濃度レベルが同じ画素である隣接同レベル画素の数に応じた画素連続指数を算出し、さらに、全ての前記注目画素についての前記画素連続指数の合計である総画素連続指数を算出する。前記輝度補正部は、前記総画素連続指数に応じて前記バックライトの輝度を補正する。
【００１０】
本発明の他の局面に係る画像形成装置は、画像形成部と、表示ユニットと、前記バックライト制御装置と、を備える。前記画像形成部は、シートに画像を形成する印刷処理を実行する。前記表示ユニットは、前記印刷処理に関するモノクロ画像を表示する表示パネルおよび前記表示パネルを照明するバックライトを有する。前記バックライト制御装置は、前記バックライトの輝度を制御する。
【発明の効果】
【００１１】
本発明によれば、バックライトを有する表示パネルに表示されるモノクロ画像における明画素および暗画素の分布状況が変化する場合に、ユーザーがまぶしく感じたり、表示画像が不鮮明になったりすることを防止できるバックライト制御装置およびそれを備える画像形成装置を提供することが可能になる。
【図面の簡単な説明】
【００１２】
【図１】図１は、実施形態に係る画像形成装置の構成図である。
【図２】図２は、実施形態に係る画像形成装置が備える操作表示部の外観図である。
【図３】図３は、実施形態に係る画像形成装置における制御装置および表示ユニットのブロック図である。
【図４】図４は、モノクロ画像の一部を示す図であり、図４Ａは明画素が集まった領域と暗画素が集まった領域とに分かれた画像を示す図であり、図４Ｂは明画素と暗画素とが交互に並ぶ画像を示す図である。
【図５】図５は、モノクロ画像における注目画素と８つの周囲画素とを示す図である。
【図６】図６は、モノクロ画像における注目画素および複数の隣接明画素の分布の一例を示す図であり、図６Ａは注目画素および複数の隣接明画素が集まった例を示す図であり、図６Ｂは複数の隣接明画素がＸ軸方向およびＹ軸方向において注目画素に隣接する例を示す図であり、図６Ｃは複数の隣接明画素が斜め方向において注目画素に隣接する例を示す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
実施形態に係るバックライト制御装置の一例である制御装置５は、モノクロ画像を表示する表示パネル６２Ａを照明するバックライト６２Ｂの輝度を制御する装置である。本実施形態において、制御装置５は、画像形成装置１０の一部を構成している。
【００１５】
［画像形成装置１０］
画像形成装置１０は、情報端末からネットワークを通じて受信した印刷ジョブデータに応じた画像をシート９に形成する装置である。シート９は、紙またはフィルムなどのシート状の画像形成媒体である。
【００１６】
図１に示される画像形成装置１０はプリンターである。なお、画像形成装置１０が、複写機、ファクシミリ装置または複合機などであることも考えられる。
【００１７】
画像形成装置１０は、シート供給部２、シート搬送部３、画像形成部４、制御装置５および操作表示ユニット６などを備える。図１に示される画像形成部４は、電子写真方式で画像を形成する装置である。なお、画像形成部４がインクジェット方式などの他の方式で画像を形成する装置であることも考えられる。
【００１８】
シート供給部２が、シート９を１枚ずつシート搬送路３００へ送り出し、シート搬送部３が、シート９をシート搬送路３００に沿って搬送し、さらに、シート９をシート排出トレイ１００上へ排出する。
【００１９】
画像形成部４は、ドラム状の感光体４１、帯電装置４２、レーザー走査ユニット４３、現像装置４４、転写装置４５、クリーニング装置４６および定着装置４７などを備える。
【００２０】
感光体４１が回転し、帯電装置４２が感光体４１の表面を一様に帯電させる。さらに、レーザー走査ユニット４３が帯電した感光体４１の表面に静電潜像を書き込む。さらに、現像装置４４が感光体４１にトナーを供給することにより、前記静電潜像をトナー像へ現像する。
【００２１】
さらに、転写装置４５が、シート搬送路３００に沿って搬送されるシート９に、感光体４１表面の前記トナー像を転写する。さらに、定着装置４７が、シート９上の前記トナー像を加熱し、シート９上に前記トナー像を定着させる。
【００２２】
以上に示されるように、画像形成部４は、シート９に画像を形成する印刷処理を実行する。なお、クリーニング装置４６は、感光体４１に残存するトナーを除去する。
【００２３】
制御装置５は、画像形成装置１０における各機器の制御およびその他のデータ処理を行う。本実施形態において、制御装置５の一部が、バックライト制御装置として機能する。
【００２４】
操作表示ユニット６は、ユーザーの操作を受け付け、前記ユーザー向けの情報を表示するユーザーインターフェイスである。図２に示されるように、操作表示ユニット６は、タッチパネルおよび操作ボタンなどを含む操作部６１と、表示ユニット６２とを備える。
【００２５】
表示ユニット６２は、表示パネル６２Ａ、バックライト６２Ｂおよび照度センサー６３などを含む。表示パネル６２Ａは、液晶パネルなどのパネル状の表示装置である。バックライト６２Ｂは、表示パネル６２Ａを照明する装置である。
【００２６】
例えば、バックライト６２Ｂが、表示パネル６２Ａの背面に沿って二次元に配列された複数のＬＥＤ光源であることが考えられる。また、バックライト６２Ｂが、表示パネル６２Ａの背面に沿って配置された光拡散板と、その光拡散板の一部に光を照射する冷陰極管またはＬＥＤなどの光源とを有することも考えられる。
【００２７】
照度センサー６３は、表示パネル６２Ａを照らす光の明るさを検出するセンサーである。即ち、照度センサー６３は、表示パネル６２Ａの前面側の周辺環境の明るさを検出する。
【００２８】
［制御装置５］
図３に示されるように、制御装置５は、表示制御部５Ａ、表示パネルドライバー５Ｂ、バックライト制御部５Ｃおよびバックライトドライバー５Ｄなどを含む。
【００２９】
表示制御部５Ａは、表示パネル６２Ａに表示させる画像を表す表示画像データＤ０を生成し、その表示画像データＤ０を表示パネルドライバー５Ｂに出力する。表示パネルドライバー５Ｂは、表示パネル６２Ａに対して表示画像データＤ０に従って表示駆動信号を出力する。これにより、表示画像データＤ０に対応する画像が表示パネル６２Ａに表示される。
【００３０】
本実施形態において、表示パネル６２Ａは、前記印刷処理に関するモノクロ画像を表示する。表示パネル６２Ａに表示される前記モノクロ画像は、例えば前記印刷処理に関するメニュー画面の画像または印刷プレビュー画像などである。
【００３１】
バックライト制御部５Ｃは、バックライト６２Ｂの輝度を制御する。本実施形態において、バックライト制御部５Ｃは、照度センサー６３から照度検出信号Ｓ０を入力し、照度検出信号Ｓ０の変化に応じてレベルが変化する輝度レベルデータＬ１をバックライトドライバー５Ｄに出力する。
【００３２】
バックライトドライバー５Ｄは、輝度レベルデータＬ１に従って、バックライト６２Ｂに対してライト駆動信号を出力する。これにより、バックライト６２Ｂが輝度レベルデータＬ１の値に応じた輝度で点灯する。
【００３３】
バックライト制御部５Ｃは、基本的に、照度センサー６３が予め定められた基準輝度よりも暗い照度を検出する場合の方が、照度センサー６３が前記基準輝度よりも明るい照度を検出する場合よりも小さい輝度レベルデータＬ１を設定する。これにより、表示ユニット６２の周囲が暗い場合にバックライト６２Ｂの輝度が下げられ、ユーザーがバックライト６２Ｂの光をまぶしく感じることが防がれる。
【００３４】
ところで、表示ユニット６２の周囲が暗い場合に、表示パネル６２Ａの表示画像に占める明画素の比率が同じであっても、前記明画素の分布が異なれば、前記ユーザーが感じるまぶしさの度合いが異なる。なお、表示パネル６２Ａに表示される前記モノクロ画像は、前記明画素と暗画素とを含み、前記明画素は白画素であり、前記暗画素は黒画素である。
【００３５】
例えば、前記表示画像に占める前記明画素の比率が同じであっても、前記ユーザーは、前記明画素が一部のエリアに集中している場合の方が、前記明画素が均一に分布している場合よりもまぶしく感じやすい。
【００３６】
図４Ａおよび図４Ｂに示されるモノクロ画像は、いずれも前記明画素が５０％を占める画像である。なお、図４Ａおよび図４Ｂにおいて、複数のマス目各々は画素を表す。図４に示されるように、前記明画素が集まった領域と前記暗画素が集まった領域とに分かれたモノクロ画像（図４Ａ）は、前記明画素と前記暗画素とが交互に並ぶモノクロ画像（図４Ｂ）よりも、前記ユーザーにとってまぶしく感じやすい画像である。
【００３７】
一方、表示ユニット６２の周囲が暗い状況下で前記明画素が均一に分布している場合に、バックライト６２Ｂの輝度を下げ過ぎると、表示パネル６２Ａの表示画像が不鮮明になる。
【００３８】
画像形成装置１０において、制御装置５のバックライト制御部５Ｃは、表示パネル６２Ａに表示されるモノクロ画像における前記明画素および前記暗画素の分布状況が変化する場合に、その分布状況の変化に応じてバックライト６２Ｂの輝度を補正する。これにより、前記ユーザーがまぶしく感じたり、表示パネル６２Ａの表示画像が不鮮明になったりすることを防止できる。
【００３９】
［バックライト制御部５Ｃ］
図３に示されるように、バックライト制御部５Ｃは、輝度調整部５Ｅ、連続指数算出部５Ｆおよび輝度補正部５Ｇを含む。
【００４０】
輝度調整部５Ｅは、照度センサー６３の検出結果に応じてバックライト６２Ｂの輝度を調整する。具体的には、輝度調整部５Ｅは、照度検出信号Ｓ０を入力し、照度検出信号Ｓ０の変化に応じてレベルが変化する基準輝度データＬ０を出力する。
【００４１】
輝度調整部５Ｅは、照度センサー６３が予め定められた基準照度よりも暗い照度を検出している場合、予め定められた標準値よりも小さな値の基準輝度データＬ０を設定する。同様に、輝度調整部５Ｅは、照度センサー６３が前記基準照度よりも明るい照度を検出している場合、前記標準値よりも大きな値の基準輝度データＬ０を設定する。
【００４２】
連続指数算出部５Ｆは、表示パネル６２Ａに表示されている前記モノクロ画像に含まれる前記明画素を１つずつ選択し、前記明画素を選択するごとに画素連続指数Ｐｔ０を算出する。以下の説明において、連続指数算出部５Ｆが選択した前記明画素のことを注目画素Ｐ０と称する（図５参照）。
【００４３】
また、図５に示されるように、注目画素Ｐ０に隣接する８つの画素のうち、表示パネル６２Ａの走査線に沿うＸ軸方向または前記Ｘ軸方向に直交するＹ軸方向において注目画素Ｐ０に隣接する前記明画素のことを第１隣接明画素Ｐ１と称し、その他の前記明画素のことを第２隣接明画素Ｐ２と称する。第２隣接明画素Ｐ２は、前記Ｘ軸方向および前記Ｙ軸方向に対して斜めの方向において、注目画素Ｐ０に隣接する前記明画素である。
【００４４】
また、第１隣接明画素Ｐ１および第２隣接明画素Ｐ２を併せて隣接明画素Ｐ１，Ｐ２と総称する。隣接明画素Ｐ１，Ｐ２は、注目画素Ｐ０に隣接し、かつ、注目画素Ｐ０と濃度レベルが同じ画素である。隣接明画素Ｐ１，Ｐ２は、隣接同レベル画素の一例である。
【００４５】
画素連続指数Ｐｔ０は、隣接明画素Ｐ１，Ｐ２の数に応じた指数である。例えば、連続指数算出部５Ｆは、隣接明画素Ｐ１，Ｐ２の数が多いほど大きな値の画素連続指数Ｐｔ０を算出する。
【００４６】
さらに、連続指数算出部５Ｆは、注目画素Ｐ０ごとに第１指数Ｐｔ１、第２指数Ｐｔ２および第３指数Ｐｔ３をそれぞれ算出し、第１指数Ｐｔ１、第２指数Ｐｔ２および第３指数Ｐｔ３の合計を画素連続指数Ｐｔ０として算出する。
【００４７】
第１指数Ｐｔ１は、第１隣接明画素Ｐ１の数に比例する指数である。図６に示される例では、第１指数Ｐｔ１に対する第１隣接明画素Ｐ１の数の比例係数が６である。
【００４８】
第２指数Ｐｔ２は、第２隣接明画素Ｐ２の数に比例する指数である。図６に示される例では、第２指数Ｐｔ２に対する第２隣接明画素Ｐ２の数の比例係数が５である。即ち、第２隣接明画素Ｐ２の数の比例係数は、第１隣接明画素Ｐ１の数の比例係数と異なる。なお、前記比例係数が他の値であることも考えられる。
【００４９】
上記の例は、注目画素Ｐ０に隣接する８つの画素のうち、注目画素Ｐ０に対し前記Ｘ軸方向または前記Ｙ軸方向において隣接する４つの第１隣接画素と残りの４つの第２隣接画素とについて異なる重み係数を用いて画素連続指数Ｐｔ０を算出する例である。ここで、２つの前記比例係数が前記第１隣接画素および前記第２隣接画素に対応する前記重み係数に相当する。
【００５０】
第３指数Ｐｔ３は、隣接明画素Ｐ１，Ｐ２が前記Ｘ軸方向または前記Ｙ軸方向において連続する数に応じた指数である。図６に示される例では、連続指数算出部５Ｆは、隣接明画素Ｐ１，Ｐ２が前記Ｘ軸方向または前記Ｙ軸方向において連続する数から１を減算した値を第３指数Ｐｔ３として算出する。これにより、画素連続指数Ｐｔ０は、隣接明画素Ｐ１，Ｐ２が前記Ｘ軸方向または前記Ｙ軸方向において連続する数に応じて変化する。
【００５１】
図６Ａに示される例は、注目画素Ｐ０の周囲に２つの第１隣接明画素Ｐ１と２つの第２隣接明画素Ｐ２とが存在し、隣接明画素Ｐ１，Ｐ２が前記Ｘ軸方向または前記Ｙ軸方向において連続する数が４つである場合の例である。
【００５２】
図６Ｂに示される例は、注目画素Ｐ０の周囲に４つの第１隣接明画素Ｐ１が存在し、隣接明画素Ｐ１，Ｐ２が前記Ｘ軸方向または前記Ｙ軸方向において連続していない場合の例である。
【００５３】
図６Ｃに示される例は、注目画素Ｐ０の周囲に４つの第２隣接明画素Ｐ２が存在し、隣接明画素Ｐ１，Ｐ２が前記Ｘ軸方向または前記Ｙ軸方向において連続していない場合の例である。
【００５４】
図６Ａ〜Ｃに示される例は、注目画素Ｐ０および注目画素Ｐ０に隣接する８つの画素において前記明画素が占める比率は同じである。しかしながら、連続指数算出部５Ｆは、隣接明画素Ｐ１，Ｐ２の数が同じ状況下で、注目画素Ｐ０および隣接明画素Ｐ１，Ｐ２の集中度合いが高いほど大きな値の画素連続指数Ｐｔ０を算出する。
【００５５】
さらに、連続指数算出部５Ｆは、全ての注目画素Ｐ０についての画素連続指数Ｐｔ０の合計である総画素連続指数Ｐｔ００を算出する（図３参照）。総画素連続指数Ｐｔ００は、連続指数算出部５Ｆから輝度補正部５Ｇへ供給される。
【００５６】
輝度補正部５Ｇは、総画素連続指数Ｐｔ００に応じてバックライト６２Ｂの輝度を補正する。本実施形態において、輝度補正部５Ｇは、輝度調整部５Ｅにより調整されたバックライト６２Ｂの輝度を表す基準輝度データＬ０を補正し、補正後のデータを輝度レベルデータＬ１としてバックライトドライバー５Ｄへ出力する。
【００５７】
例えば、輝度補正部５Ｇは、総画素連続指数Ｐｔ００が予め定められた下限値以上である場合に、総画素連続指数Ｐｔ００が大きいほど小さな輝度レベルデータＬ１が得られるように基準輝度データＬ０を補正する。この場合、総画素連続指数Ｐｔ００が前記下限値未満である場合には、基準輝度データＬ０をそのまま輝度レベルデータＬ１として出力する。
【００５８】
なお、画素連続指数Ｐｔ０が、隣接明画素Ｐ１，Ｐ２の増大に応じて減少する値である場合、輝度補正部５Ｇは、総画素連続指数Ｐｔ００が予め定められた上限値以下である場合に、総画素連続指数Ｐｔ００が小さいほど小さな輝度レベルデータＬ１が得られるように基準輝度データＬ０を補正する。
【００５９】
以上に示されるように、制御装置５のバックライト制御部５Ｃは、前記表示画像において前記明画素が占める比率が高いほどバックライト６２Ｂの輝度を下げる制御に加え、前記明画素の集中度合いが高いほどバックライト６２Ｂの輝度を下げる方向へ補正する。
【００６０】
従って、制御装置５が採用されれば、表示パネル６２Ａに表示される前記モノクロ画像における前記明画素および前記暗画素の分布状況が変化する場合に、前記ユーザーがまぶしく感じたり、前記表示画像が不鮮明になったりすることを防止できる。
【００６１】
また、連続指数算出部５Ｆは、隣接明画素Ｐ１，Ｐ２が前記Ｘ軸方向または前記Ｙ軸方向において連続する数に応じて変化する画素連続指数Ｐｔ０を算出する。また、連続指数算出部５Ｆは、注目画素Ｐ０に対して前記Ｘ軸方向または前記Ｙ軸方向において隣接する４つの前記第１隣接画素と残りの４つの前記第２隣接画素とについて異なる重み係数を用いて画素連続指数Ｐｔ０を算出する。
【００６２】
上記の場合、図６Ａ〜Ｃに示されるような、注目画素Ｐ０および隣接明画素Ｐ１，Ｐ２の集中度合いの違いが、バックライト６２Ｂの輝度の補正へより詳細に反映される。
【００６３】
[応用例]
バックライト制御部５Ｃにおいて、連続指数算出部５Ｆが、表示パネル６２Ａに表示されている前記モノクロ画像に含まれる前記暗画素を１つずつ前記注目画素Ｐ０として選択することも考えられる。この場合、連続指数算出部５Ｆは、注目画素Ｐ０ごとに、注目画素Ｐ０に隣接する前記暗画素の数に応じた画素連続指数Ｐｔ０を算出する。注目画素Ｐ０が前記暗画素である場合、注目画素Ｐ０に隣接する前記暗画素は、注目画素Ｐ０と濃度レベルが同じ画素である前記隣接同レベル画素の一例である。
【００６４】
前記応用例において、画素連続指数Ｐｔ０が、注目画素Ｐ０に隣接する前記暗画素の増大に応じて増大する値である場合、輝度補正部５Ｇは、総画素連続指数Ｐｔ００が小さいほど小さな輝度レベルデータＬ１が得られるように基準輝度データＬ０を補正する。
【００６５】
一方、前記応用例において、画素連続指数Ｐｔ０が、注目画素Ｐ０に隣接する前記暗画素の増大に応じて減少する値である場合、輝度補正部５Ｇは、総画素連続指数Ｐｔ００が大きいほど小さな輝度レベルデータＬ１が得られるように基準輝度データＬ０を補正する。
【００６６】
また、制御装置５が、情報処理装置などに接続される液晶ディスプレーなどの表示装置におけるバックライト制御に適用されることも考えられる。
【００６７】
また、動画が表示パネル６２Ａに表示される場合、前記動画は、時系列で切り替わる複数の静止画像の集合である。前記動画が表示パネル６２Ａに表示される場合、制御装置５のバックライト制御部５Ｃは、前記動画における前記複数の静止画それぞれに対応してバックライト６２Ｂの輝度を補正する。
【００６８】
なお、本発明に係るバックライト制御装置および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００６９】
２        ：シート供給部
３        ：シート搬送部
４        ：画像形成部
５        ：制御装置（バックライト制御装置）
５Ａ      ：表示制御部
５Ｂ      ：表示パネルドライバー
５Ｃ      ：バックライト制御部
５Ｄ      ：バックライトドライバー
５Ｅ      ：輝度調整部
５Ｆ      ：連続指数算出部
５Ｇ      ：輝度補正部
６        ：操作表示ユニット
９        ：シート
１０      ：画像形成装置
４１      ：感光体
４２      ：帯電装置
４３      ：レーザー走査ユニット
４４      ：現像装置
４５      ：転写装置
４６      ：クリーニング装置
４７      ：定着装置
６１      ：操作部
６２      ：表示ユニット
６２Ａ    ：表示パネル
６２Ｂ    ：バックライト
６３      ：照度センサー
１０１    ：シート排出トレイ
３００    ：シート搬送路
Ｄ０      ：表示画像データ
Ｌ０      ：基準輝度データ
Ｌ１      ：輝度レベルデータ
Ｐ０      ：注目画素
Ｐ１      ：第１隣接明画素
Ｐ２      ：第２隣接明画素
Ｐｔ０    ：画素連続指数
Ｐｔ００  ：総画素連続指数
Ｐｔ１    ：第１指数
Ｐｔ２    ：第２指数
Ｐｔ３    ：第３指数
Ｓ０      ：照度検出信号
【図１】
2018044968.tif 000003
【図２】
2018044968.tif 000004
【図３】
2018044968.tif 000005
【図４】
2018044968.tif 000006
【図５】
2018044968.tif 000007
【図６】
2018044968.tif 000008